(57)【要約】【課題】便器外に飛散した尿を確実に吸収し得ると共に尿を吸収したマットの交換作業を簡単に行い得て、トイレの清掃を容易にして管理コストの低減化を図ることが可能なトイレマットを提供する。【解決手段】外周枠を有して便器近傍の床面上に配置される枠体と、該枠体内に着脱可能に配置される格子状部材と、該格子状部材により押圧状態で枠体内に収容配置されると共に格子状部材による押圧状態を解除した際に枠体から取り外し可能な吸水部材と、を備えることを特徴とする。前記枠体は、該枠体を床面に固定可能な固定部を有し、前記吸水部材は、格子状部材を枠体から取り外すかもしくは回動動作させることにより、該格子状部材による押圧状態が解除されて枠体から取り外される。【選択図】図１
2007190241.tif 000002
【特許請求の範囲】
【請求項１】
外周枠を有して便器近傍の床面上に配置される枠体と、該枠体内に配置される格子状部材と、該格子状部材により押圧状態で前記枠体内に収容配置されると共に該格子状部材による押圧状態を解除した際に枠体から取り外し可能な吸水部材と、を備えることを特徴とするトイレマット。
【請求項２】
前記枠体は、該枠体を前記床面に固定可能な固定部を有することを特徴とする請求項１に記載のトイレマット。
【請求項３】
前記吸水部材は、格子状部材を枠体から取れ外すかもしくは回動動作させることにより、該格子状部材による押圧状態が解除されて枠体から取り外されることを特徴とする請求項１または２に記載のトイレマット。
【請求項４】
前記格子状部材は、その表面側に滑り防止機能が付与されていることを特徴とする請求項１ないし３のいずれかに記載のトイレマット。
【請求項５】
前記枠体と格子状部材は、金属もしくは樹脂により所定の剛性を有すると共に軽量化されていることを特徴とする請求項１ないし４のいずれかに記載のトイレマット。
【発明の詳細な説明】
【技術分野】
【０００１】
本発明は、例えば駅や病院等の公共施設あるいは会社等の各種施設のトレイにおいて、男性が小便をする際に便器外に飛散される尿の雫を吸収し得るトレイマットに関する。
【背景技術】
【０００２】
従来、この種のトイレマットとしては、例えば特許文献１に開示されている。このトイレマットは、不織布と粉砕パルプ及び吸水性高分子ポリマー等の中間層からなる吸水性素材層と、この吸水性素材層の裏面に積層配置された樹脂フィルム等で構成され、このトレイマットが便器回りの床面上に配置されることにより、便器から漏れた尿の雫を吸水性素材層で吸収するようにしたものである。
【特許文献１】特開平８−１６４０９４号公報
【発明の開示】
【発明が解決しようとする課題】
【０００３】
しかしながら、このようなトイレマットにあっては、トイレマット自体が吸水性素材層と樹脂フィルムの積層構造で可撓性を有するように形成されているため、所定量の尿が吸水性素材層に吸収されるとマット自体を交換する必要があり、公共施設等のトイレのように多数の人が使用する場合にその交換頻度が多くなる等、交換作業が面倒となり易い。また、可撓性を有するマット自体が床面上に単に置かれているのみであるため、マットが床面上で動くと便器外に飛散した尿を確実に吸収することが困難で尿が床面上に飛散する場合があり、このような場合にトイレの床面を清潔に維持することが困難となる。これらのことから、トイレの清掃作業を例えば外部業者に委託しなければならない等、その管理コストの低減化を図ることが難しい。
【０００４】
本発明は、このような事情に鑑みてなされたもので、その目的は、便器外に飛散した尿を確実に吸収し得ると共に尿を吸収したマットの交換作業を簡単に行い得て、トイレの清掃を容易にして管理コストの低減化を図ることが可能なトイレマットを提供することにある。
【課題を解決するための手段】
【０００５】
かかる目的を達成すべく、本発明のうち請求項１に記載の発明は、外周枠を有して便器近傍の床面上に配置される枠体と、該枠体内に着脱可能に配置される格子状部材と、該格子状部材により押圧状態で前記枠体内に収容配置されると共に該格子状部材による押圧状態を解除した際に枠体から取り外し可能な吸水部材と、を備えることを特徴とする。
【０００６】
そして、前記枠体は、請求項２に記載の発明のように、該枠体を前記床面に固定可能な固定部を有することが好ましく、また、前記吸水部材は、請求項３に記載の発明のように、格子状部材を枠体から取り外すかもしくは回動動作させることにより、該格子状部材による押圧状態が解除されて枠体から取り外されることが好ましい。さらに、前記格子状部材は、請求項４に記載の発明のように、その表面側に滑り防止機能が付与されていることが好ましい。また、前記枠体と格子状部材は、請求項５に記載の発明のように、金属もしくは樹脂により所定の剛性を有すると共に軽量化されていることが好ましい。
【発明の効果】
【０００７】
本発明のうち請求項１に記載の発明によれば、外周枠を有して便器近傍の床面上に配置される枠体内に格子状部材が着脱可能に配置されると共に、この格子状部材により押圧状態で吸水部材が枠体内に着脱可能に収容配置されているため、枠体内の吸水部材により便器外に飛散した尿を確実に吸収することができると共に、格子状部材による押圧状態を解除することにより吸水部材を枠体から容易に取り外しできて、尿が吸収された吸水部材の交換作業が簡単に行える等、トイレの清掃を容易にしてその管理コストの低減化を図ることが可能となる。
【０００８】
また、請求項２に記載の発明によれば、請求項１に記載の発明の効果に加え、枠体に床面に固定可能な固定部が設けられているため、吸水部材が収容配置された枠体を便器近傍の床面の所定位置に安定維持できて、便器外に飛散する尿を吸水部材で一層確実に吸水することができる。 
【０００９】
また、請求項３に記載の発明によれば、請求項１または２に記載の発明の効果に加え、格子状部材を枠体から取り外したり回動動作させることにより、格子状部材による吸水部材の押圧状態が解除されて吸水部材が枠体から取り外されるため、トイレの形態等に応じて最適な格子状部材を選択できて、吸水部材の交換作業を効率的に行うことができる。
【００１０】
さらに、請求項４に記載の発明によれば、請求項１ないし３に記載の発明の効果に加え、格子状部材の表面側に滑り防止機能が付与されているため、便器使用時の使用者の足の滑りを防止できて、安全性を高めること等ができる。
【００１１】
また、請求項５に記載の発明によれば、請求項１ないし４に記載の発明の効果に加え、枠体と格子状部材が金属もしくは樹脂により所定の剛性を有すると共に軽量化されているため、マットの移動を抑制しつつ便器外に飛散した尿を吸水部材でより一層確実に吸水することができる。
【発明を実施するための最良の形態】
【００１２】
以下、本発明の実施の形態を図面に基づいて詳細に説明する。
図１〜図６は、本発明に係わるトイレマットの第１の実施形態を示し、図１がその一部を破断した平面部、図２が格子状部材の平面図、図３がその側面図、図４が枠体の平面図、図５が吸水部材の平面図、図６が配置状態の縦断面図である。
【００１３】
図１に示すように、トイレマット１は、枠体２と、格子状部材３及び吸水部材４等によって構成され、枠体２内に吸水部材４と格子状部材３が着脱可能に配置されている。前記枠体２は、図１及び図４に示すように、ステンレス材からなる４本の外周枠２ａと、この外周枠２ａの底面側に配置された複数本（図では４本）のステンレス材からなる連結棒２ｂを有し、平面視で略長方形状に形成されてその一方の長辺側の外周枠２ａには、その中央部分に半円弧形状の円弧状凹部５が形成されている。
【００１４】
また、枠体２の４本の外周枠２ａが互いに連結されるコーナ部で枠体２の底面側には、貫通孔２ｄが穿設された固定部としての固定板２ｃが溶接等により固着されており、これにより、連結棒２ｂと固定板２ｃ上で外周枠２ａの内側に、後述する吸水部材４と格子状部材３が収容配置される収容凹部６が形成されている。なお、枠体２の大きさは、例えば横幅が４５０ｍｍ程度で縦幅が３００ｍｍ程度に設定されると共に厚さが１５ｍｍ程度に設定され、比較的薄い外周枠２ａや細い連結棒２ｂ等を使用することにより、その軽量化が図られている。
【００１５】
前記格子状部材３は、図１〜図３に示すように、いずれもステンレス材からなる複数本（図では５本）の縦枠３ａと多数本の横枠３ｂ及び１本の円弧枠３ｃとで表裏面に貫通する開口７が設けられて、その平面視形状が前記枠体２の外形形状より僅かに小さな形状で前記枠体２の収容凹部６内に着脱できるように形成されている。この格子状部材３の縦枠３ａは例えばパイプで形成され、また横枠３ｂは水平部と垂直部とで側面視略Ｔ字形状に形成されており、この横枠３ｂの水平部が格子状部材３の表面側に位置することにより足載置部として機能するようになっている。
【００１６】
そして、横枠３ｂの垂直部に設けた連結孔８に縦枠３ａを貫通させて横枠３ｂと縦枠３ａを格子状に組み付け、適宜の貫通位置を溶接等して横枠３ｂと縦枠３ａを一体化すると共に、円弧枠３ｃを所定位置に溶接すること等により、多数の開口７を有する格子状部材３が形成されている。なお、横枠３ｂの水平部の表面には、図３に拡大して示すように滑り防止機能として作用する凸部９が多数設けられているが、この凸部９の形状は適宜に設定できるし、水平部の幅を滑り難い幅に設定することにより、例えば凸部９を省略することもできる。また、この格子状部材３は、横枠３ｂの垂直部の下端が枠体２の連結棒２ｂの上面側に後述する吸水部材４を介して載置、すなわち吸水部材４を枠体２の連結棒２ｂ上に押圧した状態で載置されることにより、枠体２の収容凹部６内に配置されるようになっている。
【００１７】
前記吸水部材４は、例えばペット用のトイレシート、紙おむつや生理用品等のように、吸水性を有するシート状の部材が使用され、図５に示すように、防水シート４ａとこの防水シート４ａの表面部分に積層配置された吸水部４ｂを有している。そして、この吸水部材４は、枠体２の外形形状より僅かに小さい外形形状を有して、前記枠体２の収容凹部６内に着脱できるように形成されている。この時、吸水部材４としては、後述するように便器１０、１１外に飛散した尿を吸水すれば良く、その厚さも便器１０、１１の使用頻度等に応じて適宜に設定されるが、例えば吸水後に尿が固まる成分が含有された吸水部４ｂを使用したり、吸水した尿の臭いが拡散するのを防止する臭い拡散防止機能を有する吸水部４ｂを使用して、吸水部材４の回収（交換）作業をし易くすること等も可能である。
【００１８】
次に、このように構成されたトイレマット１の組立方法を含めたトイレの床面上への配置（設置）方法の一例を、図６等に基づいて説明する。先ず、枠体２、格子状部材３、吸水部材４と枠体２固定用の４本のピン１２を準備すると共に、トイレマット１を配置するトイレの床面１３に枠体２の厚さに相当する深さで枠体２の外形形状に対応した平面視形状の凹溝１３ａを形成する。この時、凹溝１３ａの一部に図示しない排水溝を設けることにより、凹溝１３ａ内への尿や床面１３の清掃時の水の貯留を防止することが好ましい。
【００１９】
そして、床面１３に形成した凹溝１３ａ内に枠体２を嵌装配置して、その固定板２ｃの貫通孔２ｄからピン１２を床面１３に打ち込んで枠体２を固定する。これにより、枠体２が床面１３に位置決めされてその移動が規制された状態で固定され、この枠体２の収容凹部６内に吸水部材４を収容配置する。この時、吸水部材４の薄い防水シート４ａの外周部が固定板２ｃ上等に位置し、厚さの厚い吸水部４ｂが枠体２の連結棒２ｂ上で収容凹部６の中央部分に位置した状態となる。
【００２０】
吸水部材４を枠体２の収容凹部６内に配置したら、次に、この吸水部材４上に格子状部材３を配置し、この格子状部材３の配置によりその重量で吸水部材４が枠体２内に押圧状態で配置される。これにより、トイレマット１が組み立てられて、これが図８に示すように、男性小便用便器１０（便器１０という）の前方床面１３上に、その外周枠２ａの円弧状凹部５が便器１０の前方外周面１０ａに略密着した状態で配置されることになる。
【００２１】
この配置状態で使用者が便器１０を使用すると、便器１０外に飛散した尿（雫）は、その下方のトイレマット１上に落下し、この尿は格子状部材３の開口７から下方の吸水部材４上に落下する。この吸水部材４上に落下した尿は、吸水部材４の給水部４ｂで吸水されると共に給水部４ｂの裏面側に位置する防水シート４ａにより、下方である凹溝１３ａ内への浸透が防止されて吸水部４ｂで保持され、例えば凹溝１３ａ内への尿の貯留等が防止される。
【００２２】
そして、例えばトイレの使用頻度等に応じて予め設定した時間（日数）が経過すると、消耗品としての吸水部材４を次のようにして交換する。すなわち、トレイマット１の格子状部材３を枠体２の収容凹部６内から持ち上げて取り外し、吸水部材４を上面側に露出させ、この状態で適宜の治具等を使用して吸水部材４を枠体２から取り出す。古い吸水部材４を枠体２から取り出したら、次に、新しい吸水部材４を枠体２内に配置して、取り外してある格子状部材３を枠体２内に配置し、この格子状部材３により交換した吸水部材４を押圧状態で枠体２内に配置する。これにより、吸水部材４の交換作業が完了する。
【００２３】
つまり、このトイレマット１の場合、枠体２内に格子状部材３を着脱可能に配置すると共に、この格子状部材３により押圧状態で枠体２内に吸水部材４を着脱可能に配置することにより、格子状部材３を取り外すことで吸水部材４のみを簡単に交換できることになる。なお、この吸水部材４の交換時に、例えば古い吸水部材４を取り出した後、枠体２や格子状部材３を水洗いしても良く、この枠体２や格子状部材４の水洗いによりトイレマット１自体を清潔に維持できると共に、床面１３の凹溝１３ａ内に固定されている枠体２を水洗いすることにより、凹溝１３ａ内の清掃も同時に行うことができて、便器１０回りの床面１３（トイレ）を清潔に維持できることになる。
【００２４】
このように、上記実施形態のトイレマット１にあっては、外周枠２ａを有して便器１０近傍の床面１３に配置される枠体２内に格子状部材３が着脱可能に配置されると共に、この格子状部材３により押圧状態で吸水部材４が枠体２内に着脱可能に収容配置されているため、枠体２内の吸水部材４によって飛散した尿を確実に吸収することができる。特に、吸水部材４が防水シート４ａとこの防水シート４ａの表面に積層配置された吸水部４ｂとで構成されていることから、吸水部４ｂに吸水された尿の床面１３上への浸透を防止して、トレイマット１が配置される床面１３を清潔に維持することができる。
【００２５】
また、枠体２に床面１３に固定可能な固定部２ｃが設けられると共に、枠体２が床面１３に設けた凹溝１３ａ内にピン１２により床面１３と略面一状態で固定されているため、吸水部材４が収容配置された枠体２を便器１０近傍の床面１３の所定位置に安定維持できて、トレイマット１が床面１３上で移動することがなく、便器１０外に飛散する尿を吸水部材４で確実に吸水することができる。さらに、格子状部材３を枠体２から取り外すことにより、格子状部材３による吸水部材４の押圧状態が解除されて枠体２から取り外すことができるため、吸水部材４の交換作業を簡単に行うことができる。
【００２６】
特に、枠体２と格子状部材３がステンレス材の使用やその形状により軽量化されていることから、格子状部材３の枠体２に対する着脱操作を容易に行うことができたり、便器１０廻りの湿気やアンモニア等による枠体２や格子状部材３の錆びの発生を確実に防止して常に清潔に維持できると共に、吸水部材４として尿が固まる成分を含有したものとか臭い拡散防止機能を有するものを使用することにより、その交換作業を容易かつ衛生的に行うことができる。
【００２７】
これらのことから、格子状部材３を枠体２から取り外すことにより吸水部材４を枠体２から簡単に取り外しできて、尿を吸収した吸水部材４の交換作業が容易に行える等、トイレの清掃が容易となり、その管理コストの低減化を図ること等が可能となる。また、格子状部材３の表面側に凸部９等による滑り防止機能を付与すれば、便器１０使用時の使用者の足の滑りを防止できて、その安全性等を高めることがこともできる。
【００２８】
図７は、本発明に係わるトイレマットの第２の実施形態を示す一部破断した平面図である。以下、上記第１の実施形態と同一部位には、同一符号を付して説明する。この第２の実施形態のトイレマット１の特徴は、枠体２の外形形状を長方形状に形成し、この枠体２の外形形状に対応させて格子状部材３や吸水部材４の外形形状を長方形状に形成した点にある。そして、枠体２内に、上記第１の実施形態と同様に、吸水部材４と格子状部材３を着脱可能に配置して、格子状部材３を枠体２から取り外すことにより、吸水部材４が交換できるように構成する。
【００２９】
このトイレマット１の場合は、外形形状が長方形状であることから、図９に示すように、和式便器１１（便器１１という）の前方の床面１３上に配置され、トイレマット１上に立って使用する際に便器１１外に飛散する尿を吸水部材４で吸水できて、尿が吸水された吸水部材４の交換作業等が容易に行える等の上記第１の実施形態と同様の作用効果を得ることができる。また、この第２の実施形態の場合は、外形形状が長方形状であることから、枠体２や格子状部材３の構成を簡略化して安価に形成できると共に、トイレマット１の配置位置が特定されず汎用性が向上するという作用効果を得ることもできる。
【００３０】
なお、本発明に係わるトイレマット１は、上記した各実施形態に限定されるものではなく、次のような変形例も包含するものである。すなわち、格子状部材３を枠体２に対して着脱可能に配置して格子状部材３を枠体２から完全に取り外した後に吸水部材４の交換を可能とする構成に限らず、例えば、格子状部材３を枠体２から完全に取り外すことなく、吸水部材４の交換が可能な構成とすることもできる。この場合は、例えば、格子状部材３の便器１０、１１側の端部（もしくは半便器１０、１１側の端部や左右側方の端部）を枠体２に軸支させて回動可能に構成し、この格子状部材３を手もしくは足の操作で回動させて、格子状部材３による吸水部材４の押圧状態を解除すると共に枠体２の収容凹部６を開放させ、その後に吸水部材４を交換するようにすれば良い。
【００３１】
また、枠体２の床面１３上への固定も、固定板２ｃをピン１２により床面１３に設けた凹溝１３ａ内に固定する構造に限らず、例えばネジやアンカーボルト等を使用して凹溝１３ａ内に固定することもできるし、トイレマット１を床面１３の凹溝１３ａ内ではなく、図６の二点鎖線で示す平坦な床面１３ｂ上に、単に載置状態でピン１２等により固定する構造を採用することもできる。さらに、枠体２や格子状部材３の材質も、ステンレス材を使用して錆び難さと軽量化等を同時に図る構成に限らず、例えばアルミニウム等の他の軽金属や硬質樹脂等を使用する構成とすることも可能である。
【００３２】
また、格子状部材３による吸水部材４の押圧も、横枠３ｂの連結棒２ｂへの押圧に限らず、例えば枠体２の外周枠２ａの底面側に水平部を設け、この枠体２と略同じ平面視形状の外周枠を格子状部材３に設け、この外周枠で吸水部材４の防水シート４ａの外周縁を枠体２の外周枠２ａに押圧状態とし、吸水部材４の吸水部４ｂが格子状部材３で押圧されないフリーな状態とすることもできる。このような構成にすれば、吸水部４ｂの吸水能率をより高めることが可能となる。
【００３３】
またさらに、上記各実施形態における、枠体２や格子状部材３及び吸水部材４の外形形状、枠体２や格子状部材３の構成等も一例であって、例えば枠体２の連結棒２ｂを格子状に形成して吸水部材４の配置を安定化させたり、枠体２に底面板を設けて薄皿状に形成して吸水部材４から漏れた尿を枠体２の収容凹部６内に回収する構成とする等、本発明に係わる各発明の要旨を逸脱しない範囲において適宜に変更することができる。
【産業上の利用可能性】
【００３４】
本発明は、駅や病院等の公共施設のトイレへの適用に限らず、例えば一般の会社等のトレイにも適用できるし、便器として男性小便用便器や和式便器に限らず、洋式便器にも適用することができる。
【図面の簡単な説明】
【００３５】
【図１】本発明に係わるトイレマットの第１の実施形態を示す一部破断した平面図
【図２】同格子状部材の平面図
【図３】同その側面図
【図４】同枠体の平面図
【図５】同吸水部材の平面図
【図６】同その配置状態の縦断面図
【図７】本発明に係わるトイレマットの第２の実施形態を示す図１と同様の一部破断した平面図
【図８】本発明に係わるトレイマットの配置状態の説明図
【図９】本発明に係わるトレイマットの他の配置状態の説明図
【符号の説明】
【００３６】
１・・・トイレマット、２・・・枠体、２ａ・・・外周枠、２ｂ・・・連結棒、２ｃ・・・固定板、２ｄ・・貫通孔、３・・・格子状部材、３ａ・・・縦枠、３ｂ・・・横枠、３ｃ・・・円弧枠、４・・・吸水部材、４ａ・・・防水シート、４ｂ・・・吸水部、５・・・円弧状凹部、６・・・収容凹部、７・・・開口、８・・・連結孔、９・・・凸部、１０・・・男性小便用便器、１１・・・和式便器、１２・・・ピン、１３・・・床面、１３ａ・・・凹溝、１３ｂ・・・床面。
【図１】
2007190241.tif 000003
【図２】
2007190241.tif 000004
【図３】
2007190241.tif 000005
【図４】
2007190241.tif 000006
【図５】
2007190241.tif 000007
【図６】
2007190241.tif 000008
【図７】
2007190241.tif 000009
【図８】
2007190241.tif 000010
【図９】
2007190241.tif 000011